(57)【特許請求の範囲】
【請求項１】
袋状のポケットにコイルを収容したポケットコイルにおいて、
ポケットの上下端部及び中途部を張り合わせることでポケットの内部にコイルを収容するための同一又は異なる大きさの複数のコイル室を上下に並べて形成し、各コイル室にコイルをそれぞれ収容したことを特徴とするポケットコイル。
【請求項２】
上下に並べた各コイル室に硬さの異なるコイルを収容したことを特徴とする請求項１に記載のポケットコイル。
【請求項３】
袋状のポケットにコイルを収容したポケットコイルを並べて配置したマットレスにおいて、
ポケットコイルは、ポケットの上下端部及び中途部を張り合わせることでポケットの内部にコイルを収容するための同一又は異なる大きさの複数のコイル室を上下に並べて形成し、各コイル室にコイルをそれぞれ収容したことを特徴とするマットレス。
【請求項４】
上下に並べた各コイル室に硬さの異なるコイルを収容したことを特徴とする請求項３に記載のマットレス。
【発明の詳細な説明】
【技術分野】
【０００１】
本発明は、袋状のポケットにコイルを収容したポケットコイル及び同ポケットコイルを並べて配置したマットレスに関するものである。
【背景技術】
【０００２】
従来より、主にマットレスのクッション材として、袋状のポケットにコイルを収容したいわゆるポケットコイルが利用されている。
【０００３】
従来のポケットコイルは、１個のポケットに１個のコイルを収容するための空間（コイル室）を形成した構成となっている。
【０００４】
そして、このポケットコイルを用いたマットレスでは、袋状のマットレスカバーの内部に複数個のポケットコイルを前後左右に水平に並べて収容した構成のものが知られている（たとえば、特許文献１参照。）。
【先行技術文献】
【特許文献】
【０００５】
【特許文献１】特開２０１３−９４５３２号公報
【発明の概要】
【発明が解決しようとする課題】
【０００６】
ところが、上記従来のマットレスでは、ポケットコイルとして用いられる一種類のコイルによってマットレスとしてのクッション性が決まってしまい、全体的に柔らか過ぎたり、或いは、全体的に硬過ぎたりして、寝心地を良好にすることが困難であった。
【課題を解決するための手段】
【０００７】
そこで、請求項１に係る本発明では、袋状のポケットにコイルを収容したポケットコイルにおいて、ポケットの上下端部及び中途部を張り合わせることでポケットの内部にコイルを収容するための同一又は異なる大きさの複数のコイル室を上下に並べて形成し、各コイル室にコイルをそれぞれ収容することにした。
【０００８】
また、請求項２に係る本発明では、前記請求項１に係る本発明において、上下に並べた各コイル室に硬さの異なるコイルを収容することにした。
【０００９】
また、請求項３に係る本発明では、袋状のポケットにコイルを収容したポケットコイルを並べて配置したマットレスにおいて、ポケットコイルは、ポケットの上下端部及び中途部を張り合わせることでポケットの内部にコイルを収容するための同一又は異なる大きさの複数のコイル室を上下に並べて形成し、各コイル室にコイルをそれぞれ収容することにした。 
【００１０】
また、請求項４に係る本発明では、前記請求項３に係る本発明において、上下に並べた各コイル室に硬さの異なるコイルを収容することにした。
【発明の効果】
【００１１】
そして、本発明では、以下に記載する効果を奏する。
【００１２】
すなわち、本発明では、袋状のポケットにコイルを収容したポケットコイル（又は、同ポケットコイルを並べて配置したマットレス）において、ポケットの内部にコイルを収容するための複数のコイル室を上下に並べて形成し、各コイル室にコイルをそれぞれ収容することにしているために、上下に並べるコイルによって全体的なクッション性を変化させることができ、ポケットコイルのクッション性（又は、マットレスの寝心地）を良好なものとすることができる。
【００１３】
特に、上下に並べた各コイル室に硬さの異なるコイルを収容した場合には、硬いコイルで全体的な荷重を受け止め、柔らかいコイルで部分的に変形させることができ、全体としてしっかりとしたクッション性を有しながら、柔らかく包み込むような感触を有するものとすることができる。
【図面の簡単な説明】
【００１４】
【図１】本発明に係るマットレスを示す一部切欠平面説明図（ａ）、側面断面説明図（ｂ）。
【図２】同断面拡大説明図（側面（ａ）、平面（ｂ））。
【図３】ポケットコイルの断面拡大説明図（側面（ａ）、平面（ｂ））。
【発明を実施するための形態】
【００１５】
以下に、本発明に係るポケットコイル及びマットレスの具体的な構成について図面を参照しながら説明する。
【００１６】
図１〜図３に示すように、マットレス１は、矩形箱型の袋状のマットレスカバー２の内部にポケットコイル３を左右に並べて収容している。
【００１７】
ポケットコイル３は、前後一対のシート4,5を張り合わせて袋状のポケット６を形成している。
【００１８】
その際に、ポケットコイル３は、シート4,5の上下端縁部と左右端縁部だけを張り合わせるのではなく、シート4,5の上下中途部と左右中途部も張り合わせている。これにより、ポケットコイル３は、ポケット６の内部に、上下に並んだ中空円筒状のコイル室7,8,9を左右に並べて形成している。
【００１９】
なお、ここでは、上下に３個のコイル室7,8,9を形成しているが、複数個であればよく、２個でも３個以上でもよい。また、ここでは、左右にも並べてコイル室7,8,9を形成しているが、１個だけにしてもよい。また、ここでは、上下のコイル室7,8,9の大きさ（高さ）を異ならせているが、全て同じ大きさにしてもよい。さらに、ここでは、２枚のシート4,5を張り合わせてポケット６を形成しているが、１枚のシート等でポケット６を形成するようにしてもよい。
【００２０】
また、ポケットコイル３は、ポケット６に形成した各コイル室7,8,9に硬さ（バネ定数）の異なるコイル10,11,12をそれぞれ収容している。
【００２１】
なお、ここでは、一番上側のコイル室７に最も柔らかいコイル10を収容し,一番下側のコイル室９に最も硬いコイル12を収容して、上側から順に柔らかいコイル10,11,12となるように並べて収容しているが、これに限られず、上側から順に硬いコイルを並べて収容してもよく、中央にもっとも硬い又は柔らかいコイルを収容してもよい。ここでは、最も硬いコイル12を一番下側に最も高く収容することで全体的にしっかりと安定感のあるクッション性を持たせるとともに、最も柔らかいコイル10を一番上側に最も低く収容することで柔らかく包み込むような感触を持たせ、中央に中間の硬さのコイル11を介在させることで、上下のコイル10,12が持つクッション性同士が干渉するのを緩和して、全体的なクッション性を向上させている。
【００２２】
ポケットコイル３は、以上に説明したように構成しており、マットレス１のクッション材として利用することができるだけでなく、ソファー等のクッション材としても利用することができる。
【００２３】
そして、上記マットレス１では、マットレス１の横方向（短手方向）に複数個のコイル10,11,12を並べて配置したポケットコイル３をマットレス１の縦方向（長手方向：マットレス１の使用者（横臥者）の頭部から足部に向かう方向）に並べて配置している。これにより、マットレス１の横方向にポケットコイル３がずれるのを防止している。なお、マットレス１の縦方向に複数個のコイル10,11,12を並べて配置したポケットコイル３をマットレス１の横方向に並べて配置してもよい。
【００２４】
以上に説明したように、上記マットレス１は、袋状のポケット６にコイル10,11,12を収容したポケットコイル３を並べて配置し、ポケット６の内部にコイル10,11,12を収容するための複数のコイル室7,8,9を上下に並べて形成し、各コイル室7,8,9にコイル10,11,12をそれぞれ収容した構成となっている。
【００２５】
そのため、上記構成のマットレス１では、上下に並べるコイル10,11,12によって全体的なクッション性を変化させることができ、ポケットコイル３のクッション性を良好なものとし、マットレス１の寝心地を良好なものとすることができる。
【００２６】
また、上記マットレス１では、上下に並べた各コイル室7,8,9に硬さの異なるコイル10,11,12を収容した構成となっている。
【００２７】
そのため、上記構成のマットレス１では、硬いコイル12で全体的な荷重を受け止め、柔らかいコイル10で部分的に変形させることができ、全体としてしっかりとしたクッション性を有しながら、柔らかく包み込むような感触を有するものとすることができる。
【符号の説明】
【００２８】
１  マットレス
２  マットレスカバー
３  ポケットコイル
4,5  シート
６  ポケット
7,8,9  コイル室
10,11,12  コイル
【要約】
【課題】ポケットコイルのクッション性を向上させるとともに、そのポケットコイルを用いたマットレスの寝心地を向上させること。
【解決手段】本発明では、袋状のポケット（６）にコイル（１０，１１，１２）を収容したポケットコイル（３）（同ポケットコイル（３）を並べて配置したマットレス（１））において、ポケットコイル（３）は、ポケット（６）の内部にコイル（１０，１１，１２）を収容するための複数のコイル室（７，８，９）を上下に並べて形成し、各コイル室（７，８，９）にコイル（１０，１１，１２）をそれぞれ収容することにした。また、上下に並べた各コイル室（７，８，９）に硬さの異なるコイル（１０，１１，１２）を収容することにした。
【選択図】図３【図１】
0005837159.tif 000002
【図２】
0005837159.tif 000003
【図３】
0005837159.tif 000004